(57)【特許請求の範囲】
【請求項１】
１枚のシートの一端から他端に向かって、少なくとも糊代片と前面板と後面板とが順次一体形成され、前記糊代片を前記後面板の外面に固着することで形成された横向き自立式のケースにおいて、
前記ケースを横向きに自立させる脚板が、少なくとも前記シートの糊代片側の端から一体的に延出され、
前記脚板と前記糊代片との間には第１の折り線が形成され、
前記脚板の第１の折り線側の一部には、前記糊代片から切り離された支持突起が一体形成され、
前記脚板を前記第１の折り線を中心として谷折りする際、前記支持突起が、前記第１の折り線より前記後面板の方向へ突出して該後面板に係合することで、前記脚板を固定することを特徴とする横向き自立式のケース。
【請求項２】
前記後面板の一部には、前記支持突起の差し込み口が形成された請求項１に記載の横向き自立式のケース。
【請求項３】
ケースの後面板が、ケースの外側に向かって、ケースの上部および下部を頂点とする凸円弧状に形成された、請求項１または請求項２に記載の横向き自立式のケース。
【請求項４】
前記横向き自立式のケースが、１枚のシートの一端から他端に向かって、前記糊代片と前面板と前記後面板とが順次一体形成され、前記前面板と前記後面板とを互いの間に形成された第２の折り線を中心にして山折りするとともに、前記糊代片と前記前面板との間に形成された第３の折り線を中心にして前記糊代片を山折りし、その後、前記糊代片を前記後面板の外面に固着することで形成されたピロー型ケースである、請求項１〜請求項３のうち、何れか１項に記載の横向き自立式のケース。
【請求項５】
前記前面板および前記後面板の各左右の開口端部には、長さ方向の中間部が凹んだ円弧状折り線を介して、前記ケースの左右の開口部を閉塞する一対の蓋板が一体形成された請求項１〜請求項４のうち、何れか１項に記載の横向き自立式のケース。
【請求項６】
前記前面板と前記後面板との少なくとも１つには、窓部が形成された請求項１〜請求項５のうち、何れか１項に記載の横向き自立式のケース。
【請求項７】
内部空間には、物品を保持する内箱が嵌入された請求項１〜請求項６のうち、何れか１項に記載の横向き自立式のケース。
【発明の詳細な説明】
【技術分野】
【０００１】
本発明は、横向き自立式のケース、詳しくは横方向に自立させた状態で、ケース内の商品（収納物）をディスプレイする横向き自立式のケースに関する。
【背景技術】
【０００２】
商品を陳列棚に陳列する際、商品の美観（見映え）を高めて客の購買意欲を高めるものとして、ピロー型ケースが知られている。従来のピロー型ケースとして、例えば特許文献１および特許文献２に記載された「プラスチックケース」が知られている。これらは、ケース下側の開口端をケース長さ方向に直交するフラットな端面としたり（特許文献１）、ケース下側の開口端に一対の脚片を突設させる（特許文献２）ことにより、陳列棚の上でこのケースを縦方向に自立させるものである。
しかしながら、ケースを縦方向に自立させれば、その分、商品を収めたケースの重心が高くなって転倒しやすくなり、転倒時に商品が破損するおそれがあった。
また、ケースを陳列棚の上に縦方向に自立させてディスプレイしても、陳列棚の全長におけるケース占有幅が狭い分だけ、商品が目立ち難いという欠点があった。
【先行技術文献】
【特許文献】
【０００３】
【特許文献１】特開２００３−３４１６４７号公報
【特許文献２】特開２００３−３４１６６２号公報
【発明の開示】
【発明が解決しようとする課題】
【０００４】
本発明者らは、１枚のシートから一体的に打ち抜かれた糊代片と前面板と後面板とを主な構成体とするケースを、糊代片に一体形成された脚板によって横方向に自立させるようにすれば、これを縦方向に自立させた場合に比べて、ケースの重心が低くなってケースの転倒が少なくなり、陳列棚上でのケースの占有幅も広がって商品が目立ち易いくなるとともに、脚板が糊代片に一体形成されているので、組み立て前や組み立て後も折り畳んだ状態では平面状となり、嵩張らずに運搬や保管が容易になることを知見し、この発明を完成させた。
【０００５】
かくして、本発明は、ケースを横方向に自立させて、ケースの転倒を抑制するとともに、陳列棚の上に商品を目立ち易くディスプレイすることができるとともに、運搬や保管が容易になるスペース横向き自立式のケースを提供することを目的としている。
【課題を解決するための手段】
【０００６】
本発明は、１枚のシートの一端から他端に向かって、少なくとも糊代片と前面板と後面板とが順次一体形成され、前記糊代片を前記後面板の外面に固着することで形成された横向き自立式のケースにおいて、前記ケースを横向きに自立させる脚板が、少なくとも前記シートの糊代片側の端から一体的に延出され、前記脚板と前記糊代片との間には第１の折り線が形成され、前記脚板の第１の折り線側の一部には、前記糊代片から切り離された支持突起が一体形成され、前記脚板を前記第１の折り線を中心として谷折りする際、前記支持突起が、前記第１の折り線より前記後面板の方向へ突出して該後面板に係合することで、前記脚板を固定することを特徴とする横向き自立式のケースである。
【０００７】
また、本発明の横向き自立式のケースは、前記後面板の一部に、前記支持突起の差し込み口を形成するように構成してもよい。
また、前記支持突起の差し込み口に、略縦方向の切れ目が入るように構成してもよい。
【０００８】
また、本発明の横向き自立式のケースは、ケースの後面板を、ケースの外側に向かって、ケースの上部および下部を頂点とする凸円弧状に形成するように構成としてもよい。
【０００９】
また、本発明の横向き自立式のケースは、１枚のシートの一端から他端に向かって、糊代片と前面板と後面板とが順次一体形成され、前記前面板と前記後面板とを互いの間に形成された第２の折り線を中心にして山折りするとともに、前記糊代片と前記前面板との間に形成された第３の折り線を中心にして前記糊代片を山折りし、その後、該糊代片を前記後面板の外面に固着することで形成されたピロー型ケースとするように構成してもよい。
【００１０】
さらに、本発明の横向き自立式のケースは、前記前面板および前記後面板の各左右の開口端部に、長さ方向の中間部が凹んだ円弧状折り線を介して、前記ピロー型ケースの左右の開口部を閉塞する一対の蓋板を一体形成するように構成してもよい。
【００１１】
さらにまた、本発明の横向き自立式のケースは、前記前面板と前記後面板との少なくとも１つの長さ方向の中間部に、窓部を形成するにように構成してもよい。
【００１２】
また、本発明の横向き自立式のケースは、内部空間に、物品を保持する内箱が嵌入されるように構成してもよい。
【発明の効果】
【００１３】
本発明では、シートの糊代片側の端から一体に延出した脚板を、第１の折り線を中心にして谷折りすることにより、脚板がケースを自立すべく所定の方向へ向くとともに、支持突起が後面板の方向へ突出して脚板を固定する。これにより、ケースを横方向に自立させて、ケースの転倒を抑制するとともに、陳列棚の上に物品（商品）を目立ち易くディスプレイすることができる。しかも、ケースを構成するすべての構成部品（脚板および支持突起を含む）が１枚のシートから一体形成されたものであるので、畳めば平面状となり運搬や保管が容易になる。
【００１４】
また、後面板の一部に、支持突起の差し込み口を形成した場合には、より堅固に脚板を固定することができ、ケースの自立保持性を高めることができる。
また、前記支持突起の差し込み口に、略縦方向の切れ目が入れた場合には、支持突起を差し込み口へ挿入しやすくするとともに、支持突起を挿入した際、切れ目部分がケースの内側または外側に若干ずれ、脚部の固定をサポートする。これにより、より堅固に脚板を固定することができ、ケースの自立保持性を高めることができる。
【００１５】
また、ケースの後面板を、ケースの外側に向かって、ケースの上部および下部を頂点とする凸円弧状に形成した場合、支持突起が後面板に係合し、脚部を固定する度合いが強くなるので、より堅固に脚板を固定することができ、ケースの自立保持性を高めることができる。
【００１６】
また、そもそも横方向に自立しないケース（例えばピロー型ケース）を採用した場合であっても、脚板および支持突起により、容易に横方向へ自立可能にすることができる。
【００１７】
さらに、前面板および後面板の各左右の開口端部に、長さ方向の中間部が凹んだ円弧状折り線を介して、ケースの左右の開口部を閉塞する一対の蓋板を一体形成するように構成してもよい。このようにすれば、ケース内に収納した商品が抜け出ない。
【００１８】
さらにまた、前面板と後面板との少なくとも１つの長さ方向の中間部に、窓部を形成するように構成してもよい。この場合には、例えば商品の出し入れが容易になるとともに、カレンダーの場合には、それへの書き込みが容易となる。
【００１９】
また、ケースの内部空間に、物品を保持する内箱を収納するように構成してもよい。その場合には、内箱の形状を工夫することにより、様々な形状の商品をディスプレイできる。例えば、ケースの内部空間で転がり易い小物もディスプレイが可能となる。
【図面の簡単な説明】
【００２０】
【図１】この発明の実施例１に係る横向き自立式のピロー型ケースの背面からの使用状態を示す斜視図である。
【図２】この発明の実施例１に係る横向き自立式のピロー型ケースの脚板と差し込み口との要部拡大背面図である。
【図３】この発明の実施例１に係る横向き自立式のピロー型ケースの展開図である。
【図４】この発明の実施例２に係る横向き自立式のピロー型ケースの内箱を嵌入した使用状態を示す斜視図である。
【図５】この発明の実施例２に係る横向き自立式のピロー型ケースの背面からの使用状態を示す斜視図である。
【図６】この発明の実施例２に係る横向き自立式のピロー型ケースの展開図である。
【図７】この発明の実施例３に係る横向き自立式のピロー型ケースのカレンダーを収納し、後面板の中央部に窓部が形成されたものの使用状態を示す斜視図である。
【図８】この発明の実施例３に係る横向き自立式のピロー型ケースの展開図である。
【図９】この発明の実施例４に係る横向き自立式のケースを自立させた状態の右側面図である。
【発明を実施するための最良の形態】
【００２１】
ケースについて
本発明のケースは、１枚のシートの一端から他端に向かって、少なくとも糊代片と前面板と後面板とが順次一体形成され、該糊代片を前記後面板の外面に固着することで形成されたケースである。本発明のケースは、脚板と、脚板を固定する支持突起によって横向きに自立可能な自立式のケースである。「横向き自立式」とは、長さ（筒長さ）方向を横に向けた状態（横置き状態）で、起立させる方式をいう。
【００２２】
本ケースの形状は、総じて筒状または略直方体状・台形状であるが、糊代片、前面板および後面板があれば、特に制限はない。よって、糊代片と前面板との間または、前面板と後面板との間にある、辺板（板状部分）の数も特に制限はない。例えば、後述実施例４で示したとおり、前面板と後面板との間に上面板があり、前面板と糊代片との間に下面板を有するケースも含まれる。
【００２３】
支持突起が係合するケースの後面部が、ケースの外側に向かって、ケースの上部および下部を頂点とする凸円弧状に形成されることが好ましい。支持突起との係合の観点から、より堅固に脚板を固定することができ、ケースの自立保持性を高めることができる。例えば、差し込み口がない場合、支持突起を上向きに反らせた際、反る度合いが強くなる。また、差し込み口がある場合、支持突起を差し込み口へ挿入して、支持突起を斜め上向き、脚板を斜め下向きの状態にすると、差し込み口の上部分が僅かにケースの外側にずれるため、谷折りが戻る力に対して、抵抗がつき、脚板が固定される。
【００２４】
「ピロー型ケース」とは、前面板と後面板とこれらを連結する糊代片とを有した枕型（タイコ型）の筒状ケースである。例えば、後述実施例１〜３で示したケースである。
ケースに入れる物品は、特に制限はない。例えば、タオル、口紅、カレンダーなどである。
【００２５】
（開口部）
ケースは、（筒）長さ方向の両端が開口したものでも、その両端が少なくとも一対の蓋板により閉塞されたものでもよい。蓋板によりケース両端を閉じれば、収納した物品が開口部から抜け出さない。
【００２６】
（内箱）
また、ケースの内部空間に、物品を保持する内箱を嵌入するようにしてもよい。物品が小物の商品の場合には、内箱がなければケースの中で転がってしまい、ディスプレイできないものも存在する（例えば、口紅のような、円柱状の物品である。）。この場合、ケースの長さ方向の両端が開口（開放）している方が、内箱の出し入れがし易くて好ましい。内箱の形状は特に限定はない。
【００２７】
（窓部）
ケースの前面板と後面板との少なくとも一方に窓部を形成してもよい。窓部の形状、形成数は限定されない。また、窓部の形成位置としては、例えば前面板と後面板との少なくとも一方のうち、その長さ方向の中間部などが挙げられる。カレンダーの場合、前面板に前記窓部を形成しておけば、カレンダーに書き込み可能となる。
【００２８】
（シート）
シートの素材としては、例えば、ポリアミド、ポリプロピレン、ポリエチレン、ポリカーボネート、ポリエチレンテレフタレート、ポリブチレンテレフタレート、ポリフェニレンサルファイドなど各種の合成樹脂を採用することができる。その他にも厚紙、ボール紙などの各種の紙を採用することができる。シートの厚さは、特に制限はないが、一般的に、合成樹脂であれば０．２ｍｍ〜０．５ｍｍ、紙であれば１６０ｋｇ〜４００ｋｇが用いられる。
シートの形状としては、例えば、正方形、長方形などの略矩形状を採用することができる。
糊代片と前面板と後面板とは、順次１枚のシートから一体的（連続）に形成される。糊代片と前面板との間または、前面板と後面板との間に他の辺板がある場合でも同様である。糊代片と前面板と後面板との各形状は一般に矩形状ではあるものの、任意である。
【００２９】
ここでいう「山折り」とは、折り目が外側になるようにシートを折ることをいう。
ここでいう「谷折り」とは、折り目が内側になるようにシートを折ることをいう。
糊代片を後面板の外面に固着する方法としては、ホットメルトを含む接着剤による接着や熱融着を採用することができる。糊代片は、全面を固着することも可能であるが、支持突起を突出させるため、一部分（好ましくは下部半分）のみ固着することでも構わない。
【００３０】
（脚板）
脚板とは、少なくともシートの糊代片側の端（糊代片の第１の折り線側）から一体的に延出し、横向きに配置されたケースを自立させる板片である。脚板の形状、幅、長さおよび形成数などは限定されない。この脚板の位置は、後面板上であれば特に制限はないが、後面板の半分より下側に配置することが好ましい。ケースを自立させた際の接地面と脚板が成す角度も特に制限はない。
【００３１】
（支持突起）
支持突起とは、糊代片から切断されて脚板の元側の端に一体形成された板片である。支持突起は、例えば、糊代片に逆凸字状に切り込みを入れ、第１の折り線を中心にして脚板を谷折りした際、折り曲げた脚板とは反対側（後面側）に突出する。そして、突出した支持突起が後面板に係合することで、脚板が戻らないように固定される。係合の態様としては、例えば、支持突起を上方向に反り返るように後面板に当接させることにより後面板に引っ掛けたり、支持突起を差し込み口に挿入することが挙げられる。支持突起を後面板に当接させ、後面板に引っ掛けた場合は、第１の折り線を中心にして脚板を谷折りした反発力（戻ろうとする力）も加わり、脚板は固定される。支持突起を差し込み口に挿入した場合、挿入された支持突起は、（脚板は斜め下方向に向くので）通常、斜め上方に向いている。
支持突起の形状および形成数は限定されない。
支持突起は、後面板に形成された差し込み口に差し込んだ方が、より堅固に脚板を固定することができ、ケースの自立保持性を高めることができる。また、差し込み口がない場合でも、支持突起は、脚板の谷折りの折り曲げ当初は下向きで後面板と接するが、さらに脚板を折り曲げていけば、上側に反り返って後面板に当接した状態で係合し、脚板を固定することができる。特に、物品（収納物）が軽量である場合にはこれでもよい。
【００３２】
（差し込み口）
差し込み口があることが好ましい。これに支持突起を差し込むことにより、より堅固に脚板を固定することができる。差し込み口の形状は、特に制限はなく、例えば１本線でもよいし、略縦方向（ケースの幅方向）へ切れ目（切れ込み）が入っていてもよい。
支持突起を差し込み口へ挿入して、支持突起を斜め上向き、脚板を斜め下向きの状態にすると、差し込み口の上部分が僅かにケースの外側にずれるため、谷折りが戻る力に対して、抵抗がつき、脚板が固定される。
切れ目が入っている差し込み口の形状としては、特に制限はないが、例えば、逆山字状、Ｔ字状、下向きコの字状、Ｈ状、横王の字状が挙げられる。差し込み口に、略縦方向へ切れ目を入れると、支持突起を差し込み口に挿入しやすくなるとともに、支持突起を差し込み口に挿入すると、後面板の切れ目に係る部分がケースの内側または外側に僅かにずれ、脚部の固定をサポートすることにより、より堅固に脚板を固定することができ、ケースの自立保持性を高めることができる。より詳しくは、例えば、切れ目が入っている差し込み口の形状が逆山字状の場合、支持突起を差し込み口に挿入し、支持突起を斜め上、脚板を斜め下の状態にすると、切れ目が入った部分（差し込み口の直下部分）が僅かにずれるため、谷折りが戻る力に対して、抵抗がつき、脚板が固定される。
差し込み口の数は、支持突起の形成数に準ずる。
【実施例】
【００３３】
実施例１について
以下、図１〜図３を参照して、本発明の実施例１を具体的に説明する。
図１〜図３において、１０は本発明の実施例１に係る横向き自立式のピロー型ケース（以下、ピロー型ケース）で、このピロー型ケース１０は、１枚のシート１１の一端から他端に向かって、糊代片１２と前面板１３と後面板１４とが順次一体形成され、前面板１３と後面板１４とを互いの間に形成された第２の折り線１５を中心にして山折りするとともに、糊代片１２と前面板１３との間に形成された第３の折り線１６を中心にして糊代片１２を山折りし、その後、糊代片１２を後面板１４の外面に固着することで形成され、かつハンドタオルである商品Ｇを収納する枕型の容器である。なお、実施例１〜４のケースの後面板は、いずれもケースの外側に向かって、ケースの上部および下部を頂点とする凸円弧状に形成されている。
【００３４】
以下、これらの構成部品を詳細に説明する。
シート１１は、ポリプロピレンからなる厚さ０．２５ｍｍの略横長な打ち抜き加工された矩形状の薄板である。
前面板１３と後面板１４とは、左右方向に長い同一矩形状の板で、かつ前面板１３と後面板１４との左右の端には、中央部が凹んだ円弧状折り線１７がそれぞれ形成されている。また、これらの円弧状折り線から一対の花びら形状の蓋板１８がそれぞれ延出して形成されている。前面板１３の第３の折り線１６側の全長にわたって、帯状の糊代片１２が一体形成されている。糊代片１２の長さ方向の中間部には、第１の折り線１９を介して脚板２０が一体形成されている。脚板２０は、糊代片１２の約半分の長さを有する板片である。
また、脚板の第１の折り線側には、その長さ方向の中間部（一部）に、糊代片から切り離された逆凸字状の切り込んで形成された支持突起２１が一体形成されている。
さらに、後面板の第２の折り線１５とは反対側の端には、その長さ方向の中間部に、前記支持突起２１の差し込み口２２が逆山字状に形成されている。
【００３５】
次に、本発明の実施例１のピロー型ケース１０の組み立て方法を説明する。
まず、前面板１３と後面板１４とを第２の折り線１５を中心にして山折りし、この山折り側を上にして、糊代片１２を第３の折り線１６を中心にして山折りした後、この糊代片１２を後面板１４の下端部に接着剤を介して固定する。その後、ピロー型ケース１０の例えば左右の開口部から２枚のハンドタオルＧを収納する。その後、各円弧状折り線１７を中心にしてそれぞれの蓋板１８を山折りして、左右の開口部を閉塞する。次に、ピロー型ケース１０を陳列棚上で自立させるため、第１の折り線１９を中心にして脚板２０を谷折りする。これにより、脚板がケースを自立すべく所定の方向（斜め下方向）へ向くとともに、支持突起が後面板の方向（斜め上方向）へ突出し、支持突起２１が第１の折り線１９より上方に配置され、後面板１４に形成された差し込み口２２に差し込まれる（図２）。これにより、より堅固に脚板２０を固定することができ、ピロー型ケース１０の自立保持性を高めることができる。
このように、ピロー型ケース１０を横方向に自立させて、ケースの転倒を抑制するとともに、陳列棚の上にハンドタオルＧなどの商品を目立ち易くディスプレイすることができる。しかも、ピロー型ケース１０を構成するすべての構成部品（脚板２０および支持突起２１を含む）が１枚のシートから一体形成されたものであるので、畳めば平面状となり運搬や保管が容易になる。
【００３６】
実施例２について
次に、図４〜図６を参照して、本発明の実施例２に係るピロー型ケース１０Ａを説明する。
実施例２のピロー型ケース１０Ａの特徴は、その内部空間に、小物の口紅（商品）Ｇ１を保持する内箱３０が嵌入されることで、ケース内で転がり易くディスプレイが困難な多数の口紅Ｇ１を、内箱３０に形成された商品挿入孔３１に挿入して立てることができる点である。
【００３７】
以下、具体的にピロー型ケース１０Ａの構成を説明する。
ピロー型ケース１０Ａは、１枚の横長な矩形状のシート１１Ａを打ち抜き加工して、糊代片１２Ａと前面板１３Ａと後面板１４Ａとが連続的に一体形成され、かつ長さ方向の左右両端が開口した筒状の容器である。後面板１４Ａには、実施例１の後面板１４に形成された逆山字形状の差し込み口２２が形成されていない。
内箱３０は１枚の紙を折り曲げて一体形成されたもので、内箱３０の長さ方向の中間部には、内箱前面が開放された商品陳列用窓によって形成された内部空間（商品挿入孔３１）に、４本の口紅Ｇ１それぞれが挿入され、ディスプレイされる。
ピロー型ケース１０Ａは、内箱３０の出し入れが容易なようにその左右の両端が開放されている。ただし、内箱３０の両端に蓋板３２を形成したことで、仮に口紅Ｇ１が商品挿入孔３１から外れたとしても、口紅Ｇ１がピロー型ケース１０Ａの外に落ちることはない。
【００３８】
実施例２のピロー型ケース１０Ａの組み立てに際しては、その脚板２０の折り曲げ当初、支持突起２１は下向きとなっているが、さらに脚板２０を折り曲げることで、支持突起２１が後面板１４Ａに上側に反り返って当接することにより、係合して脚板２０を固定する。これにより、ピロー型ケース１０Ａを横方向に自立させて、ケース１０の転倒を抑制するとともに、陳列棚の上に商品を目立ち易くディスプレイすることができる。
その他の構成、作用および効果は、実施例１から推測可能な程度であるため、省略する。
【００３９】
実施例３について
次に、図７および図８を参照して、本発明の実施例３のピロー型ケース１０Ｂを説明する。
実施例３のピロー型ケース１０Ｂの特徴は、商品として１枚ずつが表裏２カ月分の紙製のカレンダーＧ２を採用し、また１枚のシート１１Ｂの一部を構成する後面板１４Ｂに、開放された窓部４０を形成した点である。さらに詳細には、重ね合わされた６枚のカレンダーＧ２をピロー型ケース１０Ｂの内部空間で両側方から挟持するとともに、このピロー型ケース１０Ｂの長さ方向の左右の開口を、ピロー型ケース１０Ｂの長さ方向の両端部で塞ぐ左右一対の蓋板４２が形成されている。また、支持突起２１の差し込み口が２２が１本線状に形成されている。
【００４０】
カレンダーＧ２は、横長な略矩形状の厚紙からなり、その上辺の長さ方向の中間部には、横方向に長い掛止片ｇが一体形成されている。この各掛止片ｇを、シート１１Ｂのうち、第２の折り線１５の長さ方向の中間部に形成されたスリット４３に差し込むことで、各カレンダーＧ２が位置決めされる。また、内容物（カレンダー）に対する窓部の大きさや両蓋板４２の位置を調整し、内容物が落ちない構造とすれば、掛止片ｇやスリット４３は必ずしも必要ではない。
その他の構成、作用および効果は、実施例１から推測可能な範囲であるため省略する。
【００４１】
実施例４について
次に図９を参照して、本発明の実施例４のケース１０Ｃを説明する。
ケース１０Ｃは折り目が４箇所有り、側面方向から見て、平面状の上面板５０および下面板５１を有する略卵型を成している。ケース１０Ｃは底面として平面状の下面５１を有するため、相当な注意をして平面に置けばそのままでも自立する可能性があるが、仮に自立したとしても若干の揺れで容易に倒れるため、実質的に自立しないケースである。本実施例の場合、シートは、シートの一端から他端に向かって糊代片、下面板、前面板、上面板、後面板の順番で、一体に成形されている。
図９では、脚板２０は、脚板２０と糊代片１２Ｃとの間にある第１の折り線１９を中心に、脚板２０は斜め下方向、支持突起２１は斜め上方向を向くまで谷折されている。そして、後面板１４Ｃの方向へ突出した支持突起２１が差し込み口２２に挿入されることにより、脚板２０が固定され、ケース１０Ｃが自立した状態を示している。糊代片１２Ｃの略下半分が接着剤により後面板１４Ｃに固着されている。差し込み口２２の直上部分に当たる部分（後面板１４Ｃの一部）は僅かに外側に膨らみ、谷折りが戻る力に対して、抵抗がつき、脚板２０が固定される。
その他の構成、作用および効果は、実施例１から推測可能な範囲であるため省略する。
【符号の説明】
【００４２】
１０，１０Ａ，１０Ｂ，１０Ｃ    横向き自立式のピロー型ケース
１１，１１Ａ，１１Ｂ    シート
１２，１２Ａ，１２Ｂ，１２Ｃ    糊代片
１３，１３Ａ，１３Ｂ，１３Ｃ    前面板
１４，１４Ａ、１４Ｂ，１４Ｃ    後面板
１５    第２の折り線
１６    第３の折れ線
１７，４１    円弧状折り線
１８，３２，４２    蓋板
１９    第１の折り線
２０    脚板
２１    支持突起
２２    差し込み口
３０    内箱
３１    商品挿入孔
４０    窓部
４３    スリット
５０    上面板
５１    下面板
Ｇ      ハンドタオル
Ｇ１    口紅
Ｇ２    カレンダー
ｇ      掛止片
【図１】
0005761714.tif 000002
【図２】
0005761714.tif 000003
【図３】
0005761714.tif 000004
【図４】
0005761714.tif 000005
【図５】
0005761714.tif 000006
【図６】
0005761714.tif 000007
【図７】
0005761714.tif 000008
【図８】
0005761714.tif 000009
【図９】
0005761714.tif 000010